(57)【要約】【課題】  本発明は、起泡性（泡量）、泡質（泡のきめ細かさ）、洗浄時及びすすぎ時の使用感（毛髪への指通り、皮膚に対するしっとり感）、生分解性のすべてを兼ね備え、コンディショナー及びリンス等のなじみ、コンディショニング効果を向上させる洗浄剤組成物を提供することを目的とする。【解決手段】  一般式（１）で表されるアミドベタイン型両性界面活性剤（Ａ）並びに１個以上のカルボキシル基若しくはカルボキシレート基を有する下記一般式（２）及び／又は一般式（３）で表されるアニオン性界面活性剤（Ｂ）を含有する洗浄剤組成物。【選択図】  なし【特許請求の範囲】
【請求項１】
一般式（１）で表されるアミドベタイン型両性界面活性剤（Ａ）並びに１個以上のカルボキシル基若しくはカルボキシレート基を有する下記一般式（２）及び／又は一般式（３）で表されるアニオン性界面活性剤（Ｂ）を含有する洗浄剤組成物。
【化１】
2013108064.tif 000008
［式中、Ｒ１は炭素数１３〜１９の直鎖の脂肪族炭化水素基、Ｒ２は炭素数１〜５のアルキレン基、Ｒ３及びＲ４は炭素数１〜４のアルキル基又はヒドロキシアルキル基、Ｒ５は炭素数１〜４のアルキレン基又はヒドロキシアルキレン基、ＹはＣＯＯ−又はＳＯ３−である。］
【化２】
2013108064.tif 000009
［式中、Ｒ６は炭素数８〜２４の直鎖又は分岐の脂肪族炭化水素基、ＡＯは炭素数２〜４のアルキレンオキシ基、ｎはアルキレンオキシ基の平均付加モル数を表し、１〜５を満たす数、Ｒ７は炭素数１〜３のアルキレン基、Ｍ１＋は水素カチオン、アルカリ金属カチオン、有機アミンカチオン及び第４級アンモニウムカチオンである。］  
【化３】
2013108064.tif 000010
［式中、Ｒ８は炭素数６〜２２の直鎖又は分岐の脂肪族炭化水素基、ＡＯは炭素数２〜４のアルキレンオキシ基、ｋ及びｍは、それぞれアルキレンオキシ基の平均付加モル数を表し、ｋ＋ｍ＝０〜５を満たす数、Ｚ１及びＺ２はそれぞれ水素原子又はＣＯＯ−Ｍ２＋であり、Ｍ２＋は一般式（２）におけるＭ１＋と同じであり、同時に水素原子になることはない。］
【請求項２】
一般式（１）においてＲ１が炭素数１３〜１７の直鎖の脂肪族炭化水素基である請求項１に記載の洗浄剤組成物。
【請求項３】
一般式（１）においてＹがＣＯＯ−である請求項１又は２記載の洗浄剤組成物。
【請求項４】
アニオン性界面活性剤（Ｂ）の重量に対する両性界面活性剤（Ａ）の重量の比率［（Ａ）／（Ｂ）］が０．１〜９である請求項１〜３のいずれか１項に記載の洗浄剤組成物。
【請求項５】
さらに、一般式（４）で表されるジオール（Ｃ）を含有する請求項１〜４のいずれか１項に記載の洗浄剤組成物。
【化４】
2013108064.tif 000011
［式中、Ｒ９は酸素原子を介在していてもよい炭素数６〜３０の脂肪族又は脂環式炭化
水素基、ＡＯは炭素数２〜６のアルキレンオキシ基、ｒ及びｓは、それぞれアルキレンオキシ基の平均付加モル数を表し、ｒ＋ｓ＝０〜１０を満たす数である。］
【請求項６】
さらに、水、他のアニオン性界面活性剤、他のノニオン性界面活性剤、他の両性界面活性剤、カチオン活性剤、保湿剤、コンディショニング剤、キレート剤、増粘剤、香料、着色剤、防腐剤、殺菌剤、紫外線吸収剤及び酸化防止剤からなる群から選ばれる１種以上を含有してなる請求項１〜５のいずれか記載の洗浄剤組成物。
【発明の詳細な説明】
【技術分野】
【０００１】
本発明は洗浄剤組成物、さらに詳しくは、両性界面活性剤及びアニオン性界面活性剤を含有する洗浄剤組成物に関するものである。
【背景技術】
【０００２】
従来、ヒトの皮膚、毛髪用の洗浄剤組成物にはアニオン性界面活性剤と両性界面活性剤を組み合わせて使用されている。特にヒドロキシエーテルカルボン酸型アニオン性界面活性剤と特定のアミドアミン型両性界面活性剤を配合された洗浄剤組成物は、起泡性に優れるとともに、低刺激性であることが知られている（特許文献１、２）。
一方、イソステアリン酸基を有するアミドアミン型両性界面活性剤をアニオン性界面活性剤と組み合わせることにより、洗浄時の使用感に優れ、乾燥時の感触が良好な洗浄剤組成物が提案されている（特許文献３）。
【先行技術文献】
【特許文献】
【０００３】
【特許文献１】特開平８−２６９４８７号公報
【特許文献２】特開平１１−２６９４８８号公報
【特許文献３】特開平２０１０−３１２７４号公報
【発明の概要】
【発明が解決しようとする課題】
【０００４】
しかしながら、特許文献１，２に記載の洗浄剤では、洗浄後のすすぎ時に皮膚のつっぱり感や毛髪のきしみ感があり、シャンプーとして使用した場合には、すすぎ時に毛髪が絡まりやすいという問題があった。また、特許文献３に記載の洗浄剤は、洗浄時の泡立ち（速泡性、持続性）やすすぎ時の毛髪への指通りや皮膚に対するしっとり感等の使用感が改善されているものの、泡のきめ細かさや泡量、生分解性が不十分、しばしばすすぎ時の毛髪の絡まりが生じるといった問題があった。また、シャンプー後にコンディショナー及びリンス等を使用したときに、コンディショナー及びリンスのなじみが悪く、有効にコンディショニング効果が得られないといった問題があった。
本発明は起泡性（泡量）、泡質（泡のきめ細かさ）、洗浄時及びすすぎ時の使用感（毛髪への指通り、皮膚に対するしっとり感）、生分解性に優れ、シャンプー後にコンディショナー及びリンス等を使用したときに、コンディショナー及びリンスのなじみが良く、有効にコンディショニング効果が得られる洗浄剤組成物を提供しようとするものである。
【課題を解決するための手段】
【０００５】
本発明者等は、起泡性（泡量）、泡質（泡のきめ細かさ）、洗浄時及びすすぎ時の使用感（毛髪への指通り、皮膚に対するしっとり感）、生分解性のすべてを兼ね備え、コンディショナー及びリンス等のなじみ、コンディショニング効果を向上させる洗浄剤組成物を得るため、鋭意検討した結果、アミドベタイン型両性界面活性剤（Ａ）と特定のアニオン性界面活性剤（Ｂ）、更に特定のジオールを併用することにより、上記の課題を解決できることを見出し、本発明に到達した。
【０００６】
すなわち本発明は、一般式（１）で表されるアミドベタイン型両性界面活性剤（Ａ）並びに１個以上のカルボキシル基若しくはカルボキシレート基を有する下記一般式（２）及び／又は一般式（３）で表されるアニオン性界面活性剤（Ｂ）を含有する洗浄剤組成物である。
【化１】
2013108064.tif 000002
［式中、Ｒ１は炭素数１３〜１９の直鎖の脂肪族炭化水素基、Ｒ２は炭素数１〜５のアルキレン基、Ｒ３及びＲ４は炭素数１〜４のアルキル基又はヒドロキシアルキル基、Ｒ５は炭素数１〜４のアルキレン基又はヒドロキシアルキレン基、ＹはＣＯＯ−又はＳＯ３−である。］
【化２】
2013108064.tif 000003
［式中、Ｒ６は炭素数８〜２４の直鎖又は分岐の脂肪族炭化水素基、ＡＯは炭素数２〜４のアルキレンオキシ基、ｎはアルキレンオキシ基の平均付加モル数を表し、１〜５を満たす数、Ｒ７は炭素数１〜３のアルキレン基、Ｍ１＋は水素カチオン、アルカリ金属カチオン、有機アミンカチオン及び第４級アンモニウムカチオンである。］  
【化３】
2013108064.tif 000004
［式中、Ｒ８は炭素数６〜２２の直鎖又は分岐の脂肪族炭化水素基、ＡＯは炭素数２〜４のアルキレンオキシ基、ｋ及びｍは、それぞれアルキレンオキシ基の平均付加モル数を表し、ｋ＋ｍ＝０〜５を満たす数、Ｚ１及びＺ２はそれぞれ水素原子又はＣＯＯ−Ｍ２＋であり、Ｍ２＋は一般式（２）におけるＭ１＋と同じであり、同時に水素原子になることはない。］
【発明の効果】
【０００７】
本発明の洗浄剤組成物は、起泡性（泡量）、泡質（泡のきめ細かさ）、洗浄時及びすすぎ時の使用感（毛髪への指通り、皮膚に対するしっとり感）、生分解性のすべてを兼ね備え、コンディショナー及びリンス等のなじみ、コンディショニング効果を向上させる洗浄剤組成物である。
【発明を実施するための形態】
【０００８】
本発明におけるアミドベタイン型両性界面活性剤（Ａ）［以下において、単に（Ａ）と表記する場合がある］は一般式（１）で表されるアミドベタイン型両性活性剤である。
一般式（１）におけるＲ１としては、通常、炭素数１３〜１９の直鎖アルキル基（トリデシル基、テトラデシル基、ペンタデシル基、ヘキサデシル基、ヘプタデシル基、オクタデシル基及びノナデシル基など）およびアルケニル基（トリデセニル基、テトラデセニル基、ペンタデセニル基、ヘキサデセニル基、ヘプタデセニル基、オクタデセニル基及びノナデセニル基など）が挙げられる。これらＲ１で示される基のうち洗浄時及びすすぎ時の使用感の観点から好ましいものは、炭素数１３〜１７の直鎖アルキル基または炭素数１３〜１７の直鎖アルケニル基である。
炭素数１３未満では、洗浄時及びすすぎ時に毛髪が絡まりやすく、毛髪や皮膚にきしみ感があり、使用感が悪くなる。
【０００９】
一般式（１）におけるＲ２としては、通常、炭素数１〜５のアルキレン基（メチレン基、エチレン基、プロピレン基、メチルエチレン基、ブチレン基、１−メチルプロピレン基、２−メチルプロピレン基及びペンチレン基など）が挙げられる。これらＲ２で示される基のうち好ましいものは、炭素数２〜４の直鎖アルキレン基である。
【００１０】
一般式（１）におけるＲ３及びＲ４としては、通常、炭素数１〜４のアルキル基（メチル基、エチル基、プロピル基、イソプロピル基、ブチル基、１−メチルプロピル基及び２−メチルプロピル基など）又はヒドロキシアルキル基（ヒドロキシエチル基、１−ヒドロキシプロピル基、２−ヒドロキシプロピル基及び１−ヒドロキシブチル基など）が挙げられる。これらＲ３及びＲ４で示される基のうち好ましいものは、炭素数１〜２のアルキル基またはヒドロキシアルキル基である。  
【００１１】
一般式（１）におけるＲ５としては、通常、炭素数１〜４のアルキレン基（メチレン基、エチレン基、プロピレン基、イソプロピレン基、ブチレン基、１−メチルプロピレン基及び２−メチルプロピレン基など）又はヒドロキシアルキレン基（ヒドロキシエチレン基、１−ヒドロキシプロピレン基、２−ヒドロキシプロピレン基及び１−ヒドロキシブチレン基など）が挙げられる。これらＲ５で示される基のうち好ましいものは、メチレン基、エチレン基または炭素数２〜３のヒドロキシアルキレン基である。  
【００１２】
（Ａ）は、公知の方法等によって得ることができ、たとえば炭素数１４〜２０の脂肪酸もしくはその低級アルキルエステル（ミスチリン酸もしくはそのメチルエステルなど）と、ジアルキルアミノアルキルアミン（ジメチルアミノプロピルアミンもしくはジエチルアミノプロピルアミンなど）を、温度１００〜１６０℃で反応させてアミド化合物を得た後、水溶液中で、モノクロル酢酸アルカリ金属塩（ナトリウム塩など）またはモノクロロヒドロキシプロパンスルホン酸塩（ナトリウム塩など）と、温度５０〜９０℃で反応させることによって得ることが出来る。
【００１３】
（Ａ）の具体例としては、ＹがＳＯ３−であるスルホベタイン［テトラデカン酸アミドプロピルスルホベタイン、ヘキサデカン酸アミドプロピルスルホベタイン、オクタデカン酸アミドプロピルスルホベタイン、オクタデセン酸アミドプロピルスルホベタイン、エイコサン酸アミドプロピルスルホベタイン及びテトラデカン酸アミドブチルスルホベタイン等］；ＹがＣＯＯ−であるカルボキシベタイン［テトラデカン酸アミドプロピルカルボキシベタイン、オクタデカン酸アミドプロピルカルボキシベタイン、オクタデセン酸アミドプロピルカルボキシベタイン、エイコサン酸アミドプロピルカルボキシベタイン及びテトラデカン酸アミドブチルカルボキシベタイン等］が挙げられる。
これらのうち、洗浄時の泡量の観点から好ましいものはカルボキシベタインであり、更に好ましくはテトラデカン酸アミドプロピルカルボキシベタインである。
【００１４】
本発明におけるアニオン性界面活性剤（Ｂ）［以下において、単に（Ｂ）と表記する場合がある］は、一般式（２）で表されるアニオン性界面活性剤（Ｂ１）又は一般式（３）で表されるアニオン性界面活性剤（Ｂ２）のうち、１種もしくは２種以上を含有してもよい。
【００１５】
一般式（２）におけるＲ６としては、炭素数８〜２４の直鎖または分岐鎖のアルキル基（オクチル基、ノニル基、デシル基、ウンデシル基、２−エチルデシル基、ドデシル基、トリデシル基、テトラデシル基、ペンタデシル基、ヘキサデシル基、ヘプタデシル基、オクタデシル基、ノナデシル基、エイコシル基、ヘンイコシル基及びドコシル基など）およびアルケニル基（オクテニル基、デセニル基、２−エチルデセニル基ウンデセニル基、ドデセニル基、トリデセニル基及びテトラデセニル基など）が挙げられる。これらＲ６で示される基のうち好ましいものは、炭素数１０〜１６の直鎖アルキル基である。
【００１６】
一般式（２）におけるＡＯは、炭素数２〜４のアルキレンオキシ基である。アルキレンオキシ基としては、エチレンオキシ基、１，２−及び１，３−プロピレンオキシ基、１，２−、１，３−、１，４−及び２，３−ブチレンオキシ基など、ならびにこれらの２種類以上の組み合わせが挙げられる。これらのうち好ましいのはエチレンオキシ基及び１，２−プロピレンオキシ基であり、ＡＯが２種類以上である場合はブロック状でもランダム状でも両者の組み合わせでもよい。
ｎはアルキレンオキシ基の平均付加モル数を表す１〜５の数であり、好ましくは、２〜４の数である。
【００１７】
一般式（２）におけるＲ７としては、通常、炭素数１〜３のアルキレン基（メチレン基、エチレン基、プロピレン基、イソプロピレン基など）が挙げられる。これらＲ７で示される基のうち好ましいものは、炭素数１〜２のアルキレン基である。
【００１８】
一般式（２）におけるＭ１＋で示されるカチオンとしては、水素カチオン、アルカリ金属（例えばナトリウム、カリウム、リチウム）カチオン、有機アミンカチオン及び第４級アンモニウムカチオンが挙げられる。  
【００１９】
有機アミンカチオンを構成する有機アミンとしては、脂肪族アミン、脂環式アミン、複素環アミンもしくはアルカノールアミン又はこれらのアルキレンオキサイド付加物等が挙げられる。脂肪族アミンとしては、トリメチルアミン、トリエチルアミン、ヘキシルアミン、オクチルアミン、メチルヘキシルアミン、メチルオクチルアミン、ジメチルヘキシルアミン、ジメチルオクチルアミン、ジメチルラウリルアミンおよびジメチルセチルアミンなどのアルキル基の炭素数が３〜１８のアルキルアミンが挙げられる。脂環式アミンとしては、シクロブチルアミン、シクロヘキシルアミン、シクロペンチルアミン、シクロオクチルアミン、Ｎ−メチルシクロヘキシルアミンおよびＮ−エチルシクロヘキシルアミンなどのシクロアルキル基の炭素数が４〜１２のシクロアルキルアミンおよびこれらのアルキル（炭素数１〜６）置換体が挙げられる。  
【００２０】
複素環アミンとしては、モルホリンなどの炭素数が４〜１０の複素環アミンが挙げられ、アルカノールアミンとしては、モノエタノールアミン、ジエタノールアミンおよびトリエタノールアミンなどのヒドロキシアルキル基の炭素数が２〜８のモノ−、ジ−およびトリ−ヒドロキシアルキルアミンが挙げられる。
これらのアルキレンオキサイド付加物のアルキレンオキサイドとしては、エチレンオキサイド（以下ＥＯと略す）、プロピレンオキサイド（以下ＰＯと略す）及びブチレンオキサイドが挙げられる。好ましくはＥＯである。これらの付加モル数は、通常、活性水素１個当り１〜５モルであり、好ましくは１〜２モルである。これらのアルキレンオキサイド付加物の具体例としては、ジヒドロキシエチルヘキシルアミン、ヒドロキシエチルメチルヘキシルアミンなどが挙げられる。
【００２１】
第４級アンモニウムカチオンの具体例としては、テトラメチルアンモニウムカチオン、テトラエチルアンモニウムカチオン、トリメチルエチルアンモニウムカチオン、トリエチルメチルアンモニウムカチオン、トリメチルヘキシルアンモニウムカチオン、トリメチルオクチルアンモニウムカチオン、トリブチルオクチルアンモニウムカチオン、トリメチルデシルアンモニウムカチオン、トリメチルテトラデシルアンモニウムカチオン、トリメチルセチルアンモニウムカチオン及びモノメチルトリオクチルアンモニウムカチオンなどのアルキル基の炭素数が１〜１８のテトラアルキルアンモニウムカチオン；Ｎ，Ｎ−ジメチルシクロへキシルアンモニウムカチオンおよびＮ，Ｎ−ジエチルシクロへキシルアンモニウムカチオンなどのシクロアルキル基の炭素数が４〜１２およびアルキル基の炭素数が１〜６のシクロアルキルジアルキルアンモニウムカチオン；トリヒドロキシエチルへキシルアンモニウムカチオンなどのヒドロキシアルキル基の炭素数が２〜８およびアルキル基の炭素数が１〜６のトリヒドロキシアルキルアルキルアンモニウムカチオンなどが挙げられる。
【００２２】
Ｍ１＋のうち好ましいものは、水素カチオン、アルカリ金属カチオン、有機アミンカチオン及び第４級アンモニウムカチオンであり、さらに好ましくは、ナトリウムカチオン、カリウムカチオン、脂肪族アミン若しくは脂環式アミン又はそのアルキレンオキサイド付加物カチオン、並びに第４級アンモニウムカチオンである。
【００２３】
アニオン性界面活性剤（Ｂ１）の具体例としては、オクタノールのＥＯ平均２モル付加物のカルボキシメチル化物、オクタノールのＥＯ平均４モル付加物のカルボキシメチル化物、ドデカノールのＥＯ平均３モル付加物のカルボキシメチル化物、トリデカノールのＥＯ平均３モル付加物のカルボキシメチル化物、トリデカノールのＰＯ平均２モル付加物のカルボキシメチル化物、テトラデカノールのＥＯ平均１モル付加物のカルボキシメチル化物、並びにこれらの塩が挙げられる。
これらのうち洗浄時の泡量の観点から、好ましいものはドデカノールのＥＯ平均３モル付加物のカルボキシメチル化物の塩であり、更に好ましくはそのナトリウム塩である。
【００２４】
一般式（３）におけるＲ８としては、通常、炭素数６〜２２の直鎖または分岐鎖のアルキル基（ヘキシル基、ヘプチル基、オクチル基、ノニル基、デシル基、ウンデシル基、２−エチルデシル基、ドデシル基、トリデシル基、テトラデシル基、ペンタデシル基、ヘキサデシル基、ヘプタデシル基、オクタデシル基、ノナデシル基、エイコシル基、ヘキコシル基及びドコシル基など）およびアルケニル基（ヘキセニル基、ヘプテニル基、オクテニル基、デセニル基、２−エチルデセニル基ウンデセニル基及びドデセニル基など）が挙げられる。これらＲ８で示される基のうち好ましいものは、炭素数８〜１６の直鎖アルキル基である。
【００２５】
一般式（３）におけるＡＯは、炭素数２〜４のアルキレンオキシ基であり、一般式（２）におけるＡＯと同じである。
【００２６】
ｍ及びｋは、それぞれアルキレンオキシ基の平均付加モル数を表すｋ＋ｍが０〜５を満たす数である。ｋ＋ｍの平均は好ましくは０〜３である。
【００２７】
一般式（３）におけるＺ１及びＺ２はそれぞれ水素原子又はＣＯＯ−Ｍ２＋であり、Ｍ２＋は一般式（２）におけるＭ１＋と同じカチオンであり、水素カチオン、アルカリ金属（例えばナトリウム、カリウム、リチウム）カチオン、有機アミンカチオン及び第４級アンモニウムカチオンが挙げられ、同時に水素原子になることはない。
【００２８】
アニオン性界面活性剤（Ｂ２）の具体例としては、１，２−ドデカンジオールのカルボキシメチル化物、１，２−ドデカンジオールＥＯ平均１モル付加物のカルボキシメチル化物、１，２−ドデカンジオールＥＯ平均４モル付加物のカルボキシメチル化物、１，２−ドデカンジオールＰＯ平均４モル付加物のカルボキシメチル化物、１，２−オクタデカンジオールＥＯ平均４モル付加物のカルボキシメチル化物、１，２−ドコサンジオールＥＯ平均８モル付加物のカルボキシメチル化物、並びにこれらの塩が挙げられる。
これらのうち好ましいものは洗浄時の泡量の観点から、１，２−ドデカンジオールのカルボキシメチル化物及び１，２−ドデカンジオールＥＯ平均１モル付加物の酢酸塩であり、更に好ましくは１，２−ドデカンジオールエーテル酢酸ナトリウムである。
【００２９】
アニオン性界面活性剤（Ｂ）の重量に対するアミドベタイン型両性界面活性剤（Ａ）の重量の比率［（Ａ）／（Ｂ）］は０．１〜９が好ましく、更に好ましくは０．２〜７であり、特に好ましくは０．３〜５である。
【００３０】
本発明の洗浄剤組成物は、アミドベタイン型両性界面活性剤（Ａ）とアニオン性界面活性剤（Ｂ１）を含有し、更に一般式（４）で表されるジオール（Ｃ）を含有することが好ましい。
【００３１】
【化４】
2013108064.tif 000005
式中、Ｒ９は酸素原子を介在していてもよい炭素数６〜３０の脂肪族又は脂環式炭化水素基、ＡＯは炭素数２〜６のアルキレンオキシ基、ｒ及びｓは、それぞれアルキレンオキシ基の平均付加モル数を表し、ｒ＋ｓ＝０〜１０を満たす数である。  
【００３２】
一般式（４）におけるＲ９としては、炭素数８〜２４の直鎖または分岐鎖のアルキル基（オクチル基、ノニル基、デシル基、ウンデシル基、２−エチルデシル基、ドデシル基、トリデシル基、テトラデシル基、ペンタデシル基、ヘキサデシル基、ヘプタデシル基、オクタデシル基、ノナデシル基、エイコシル基、ヘキコシル基及びドコシル基など）および炭素数８〜２４の直鎖または分岐鎖のアルケニル基（オクテニル基、デセニル基、２−エチルデセニル基ウンデセニル基、ドデセニル基、トリデセニル基及びテトラデセニル基など）が挙げられる。これらＲ９で示される基のうち好ましいものは、炭素数８〜１６の直鎖アルキル基である。  
【００３３】
一般式（４）におけるＡＯは、炭素数２〜６のアルキレンオキシ基であり、アルキレンオキシ基としては、エチレンオキシ基、１，２−及び１，３−プロピレンオキシ基、１，２−、１，３−、１，４−及び２，３−ブチレンオキシ基など、ならびにこれらの２種類以上の組み合わせが挙げられる。これらのうち好ましいのはエチレンオキシ基及び１，２−プロピレンオキシ基であり、ＡＯが２種類以上である場合はブロック状でもランダム状でも両者の組み合わせでもよい。
【００３４】
一般式（４）におけるｒ及びｓは、それぞれアルキレンオキシ基の平均付加モル数を表し、０〜５の数である。ｒ＋ｓは好ましくは０〜３である。
【００３５】
（ＡＯ）ｒおよび（ＡＯ）ｓにおけるＡＯは同一でも異なっていてもよい。また、２種以上のＡＯを使用する場合は、ランダム付加、ブロック付加およびこれらの併用のいずれでもよい。
【００３６】
ジオール（Ｃ）の具体例としては、１，２−ドデカンジオール、１，２−ドデカンジオールのＥＯ平均１モル付加物、１，２−ドデカンジオールのＥＯ平均４モル付加物、１，２−ドデカンジオールのＰＯ平均４モル付加物、１，２−オクタデカンジオールのＥＯ平均４モル付加物及び１，２−ドコサンジオールのＥＯ平均８モル付加物が挙げられる。
これらのうち洗浄時の泡量の観点から、好ましいものは１，２−ドデカンジオール及び１，２−ドデカンジオールのＥＯ付加物であり、更に好ましくは１，２−ドデカンジオールである。
【００３７】
本発明の洗浄剤組成物の重量に基づく（Ａ）の含有量は、好ましくは１〜２０重量％であり、さらに好ましくは１〜１５重量％である。（Ｂ）の含有量は、好ましくは１〜２０重量％であり、さらに好ましくは１〜１５重量％である。（Ｃ）の含有量は、好ましくは１〜１０重量％であり、さらに好ましくは１〜５重量％であり、残りは水および必要により添加される後述のその他の界面活性剤などである。
【００３８】
本発明の洗浄剤組成物は、（Ａ）以外の両性界面活性剤（Ｄ１）、（Ｂ）以外のアニオン性界面活性剤（Ｄ２）、（Ｃ）以外の非イオン性界面活性剤（Ｄ３）、及びカチオン性界面活性剤（Ｄ４）からなる群から選ばれる１種以上の界面活性剤（Ｄ）［以下において、単に（Ｄ）と表記する場合がある］を含有していてもよい。
【００３９】
（Ａ）以外の両性界面活性剤（Ｄ１）としては、アミドベタイン型以外のベタイン型両性界面活性剤［ラウリルジメチルアミノ酢酸ベタイン、２−アルキル−Ｎ−カルボキシメチル−Ｎ−ヒドロキシエチルイミダゾリニウムベタインおよびラウリルヒドロキシスルホベタイン等］、及びアミノ酸型両性界面活性剤［β−ラウリルアミノプロピオン酸ナトリウム等］が挙げられる。
【００４０】
（Ｂ）以外のアニオン性界面活性剤（Ｄ２）としては、炭素数８〜２４の炭化水素基を有する硫酸エステルおよびその塩［ラウリル硫酸ナトリウム及びオレイル硫酸ナトリウムなど］；炭素数８〜２４の炭化水素基を有するエーテル硫酸エステル及びその塩［（ポリ）オキシエチレン（重合度＝１〜１００）ラウリル硫酸ナトリウム、（ポリ）オキシエチレン（重合度＝１〜１００）ラウリル硫酸トリエタノールアミン及び（ポリ）オキシエチレン（重合度＝１〜１００）ヤシ油脂肪酸モノエタノールアミド硫酸ナトリウムなど］；炭素数８〜２４の炭化水素基を有するスルホン酸塩［ドデシルベンゼンスルホン酸ナトリウム等］；炭素数８〜２４の炭化水素基を有するリン酸エステルもしくはエーテルリン酸エステル及びその塩［ラウリルリン酸ナトリウム及び（ポリ）オキシエチレン（重合度＝１〜１００）ラウリルエーテルリン酸ナトリウム等］；炭素数８〜２４の炭化水素基を有する脂肪酸塩［ラウリン酸ナトリウム、ミリスチン酸ナトリウム、ステアリン酸ナトリウム及びラウリン酸トリエタノールアミン等］；並びに、炭素数８〜２４の炭化水素基を有するアシル化アミノ酸塩［ヤシ油脂肪酸メチルタウリンナトリウム、ヤシ油脂肪酸サルコシンナトリウム、ヤシ油脂肪酸サルコシントリエタノールアミン、Ｎ−ヤシ油脂肪酸アシル−Ｌ−グルタミン酸トリエタノールアミン、Ｎ−ヤシ油脂肪酸アシル−Ｌ−グルタミン酸ナトリウム及びラウロイルメチル−β−アラニンナトリウム等］等が挙げられる。
【００４１】
（Ｃ）以外の非イオン性界面活性剤（Ｄ３）としては、脂肪族系モノアルコール（炭素数８〜２４）のアルキレンオキサイド（炭素数２〜８）付加物（重合度＝１〜１００）；（ポリ）オキシアルキレン（炭素数２〜８、重合度＝１〜１００）脂肪族系炭化水素（炭素数８〜２４）ジエーテル；（ポリ）オキシアルキレン（炭素数２〜８、重合度＝１〜１００）高級脂肪酸（炭素数８〜２４）エステル［モノステアリン酸ポリエチレングリコール（重合度＝２０）、ジステアリン酸ポリエチレングリコール（重合度＝３０）等］；多価（２価〜１０価またはそれ以上）アルコール脂肪酸（炭素数８〜２４）エステル［モノステアリン酸グリセリン、モノステアリン酸エチレングリコール、モノラウリン酸ソルビタン等］；（ポリ）オキシアルキレン（炭素数２〜８，重合度＝１〜１００）多価（２価〜１０価またはそれ以上）アルコール高級脂肪酸（炭素数８〜２４）エステル［モノラウリン酸ポリオキシエチレン（重合度＝１０）ソルビタン、ポリオキシエチレン（重合度＝５０）ジオレイン酸メチルグルコシド等］；脂肪酸アルカノールアミド［１：１型ヤシ油脂肪酸ジエタノールアミド、１：１型ラウリン酸ジエタノールアミド、ヤシ油脂肪酸モノエタノールアミド等］；（ポリ）オキシアルキレン（炭素数２〜８、重合度＝１〜１００）アルキル（炭素数１〜２２）フェニルエーテル；（ポリ）オキシアルキレン（炭素数２〜８、重合度＝１〜１００）アルキル（炭素数８〜２４）アミノエーテル；及びアルキル（炭素数８〜２４）ジアルキル（炭素数１〜６）アミンオキシド［ラウリルジメチルアミンオキシド等］等が挙げられる。
【００４２】
カチオン性界面活性剤（Ｄ４）としては、第４級アンモニウム塩型［塩化ステアリルトリメチルアンモニウム、塩化ベヘニルトリメチルアンモニウム、塩化ジステアリルジメチルアンモニウム及びエチル硫酸ラノリン脂肪酸アミノプロピルエチルジメチルアンモニウム等］、及びアミン塩型［ステアリン酸ジエチルアミノエチルアミド乳酸塩、ジラウリルアミン塩酸塩及びオレイルアミン乳酸塩等］等が挙げられる。
【００４３】
本発明の洗浄剤組成物には、必要に応じて公知の補助成分を配合することができる。
このような成分としては、保湿剤［エタノール、グリセリン、プロピレングリコール、１,３-ブチレングリコール、ジプロピレングリコール、乳酸ナトリウム、ヒアルロン酸ナトリウム及びピロリドンカルボン酸ナトリウム等］、コンディショニング剤［重量平均分子量５００〜５００万の範囲のカチオン化セルロース、カチオン化グアーガム、シリコーン類、エステル類、ポリエチレングリコール、ポリアクリル酸ナトリウム、ヒドロキシエチルセルロース、タンパク質誘導体、セラミド類、擬似セラミド類、炭素数１２〜２４の高級アルコール、１８−メチルエイコサン等の直鎖状又は分枝状の炭素数１６〜４０の脂肪酸、ヒドロキシ酸、パンテノール等］、増粘剤［セルロース誘導体、ポリビニルアルコール、ポリアクリル酸ソーダ等］、防腐剤［パラ安息香酸アルキル（炭素数１〜５）エステル、安息香酸及びデヒドロ酢酸等］、酸化防止剤［２，６−ジ−ｔ−ブチル−ｐ−クレゾール、ブチル化ヒドロキシアニソール、トリフェニルホスファイト及びオクチル化ジフェニルアミン等］、紫外線吸収剤［２−（２’−ヒドロキシ−５’−メチルフェニル）ベンゾトリアゾール及び２−ヒドロキシ−４−メトキシベンゾフェノン等］、キレート剤［エチレンジアミン四酢酸ナトリウム、１-ヒドロキシエタン−１、１-ジホスホン酸ナトリウム、ポリリン酸ナトリウム及びメタリン酸ナトリウム等］、殺菌剤［塩化ベンザルコニウム等］、ｐＨ調整剤［モノ及びジエタノールアミン、苛性ソーダ、乳酸及びクエン酸等］、着色剤［食添青色１号、食添赤色２号及び食添黄色４号等］、香料［リモネン、フェニルエチルアルコール及びヘキシルシンナミックアルデヒド等］等が挙げられる。
【００４４】
本発明の洗浄剤組成物は、（Ａ）、（Ｂ）及びその他の各成分を配合することにより作製することができる。
配合の順序は、特に限定されないが、水（および必要により親水性有機溶媒）を使用する場合は、水の中に（Ａ）、（Ｂ）及びその他の成分を加える順が溶解しやすいので好ましい。配合工程の好ましい温度は室温から８０℃であり、固体の成分を配合する場合は加温すると溶解が早くなるので好ましい。
配合に使用できる攪拌羽根としては、櫂型攪拌羽根または螺旋型攪拌羽根などが使用できる。
【００４５】
本発明の洗浄剤組成物は頭髪用の洗浄剤組成物として適している。特に起泡性（泡量）、泡質（泡のきめ細かさ）、洗浄時及びすすぎ時の使用感（毛髪への指通り、皮膚に対するしっとり感）、生分解性のすべてを兼ね備え、コンディショナー及びリンス等のなじみ、コンディショニング効果を向上させる。
【００４６】
本発明の洗浄剤組成物がシャンプーに使用される場合の配合処方としては、たとえば、次のようなものがあげられる。
＜シャンプーの配合例（重量％）＞
アミドベタイン型両性界面活性剤（Ａ） ：１〜２０％
アニオン性界面活性剤（Ｂ） ：１〜２０％
ジオール（Ｃ） ：１〜１０％
両性界面活性剤（Ｄ１） ：０〜１０％
アニオン性界面活性剤（Ｄ２）：０〜１０％
非イオン性界面活性剤（Ｄ３）及びカチオン性界面活性剤（Ｄ４）：０〜５％
保湿剤（グリセリンなど） ：０．１〜３％
泡安定剤（ヤシ油脂肪酸モノエタノールアミドなど）：０．５〜５％
キレート剤 ：適量
香料 ：適量
防腐剤 ：適量
水 ：１７〜９６．４％
なお、シャンプーのｐＨは特に限定されないが、原液のｐＨ範囲は４〜９が好ましく、皮膚刺激、毛髪への損傷の観点から中性〜弱酸性（たとえばｐＨ５〜８）が好ましい。
【００４７】
本発明の洗浄剤組成物は皮膚用の洗浄剤組成物として適している。特に起泡性（泡量）、泡質（泡のきめ細かさ）、洗浄時及びすすぎ時の使用感（皮膚に対するしっとり感）、生分解性のすべてを兼ね備え、コンディショナー及びリンス等のなじみ、コンディショニング効果を向上させる。
【００４８】
本発明の洗浄剤組成物がボディソープに使用される場合の配合処方としては、たとえば、次のようなものがあげられる。
＜ボディソープの配合例（重量％）＞
アミドベタイン型両性界面活性剤（Ａ） ：１〜２０％
アニオン性界面活性剤（Ｂ） ：１〜２０％
ジオール（Ｃ） ：０〜１０％
両性界面活性剤（Ｄ１） ：０〜１０％
アニオン性界面活性剤（Ｄ２）：０〜１０％
非イオン性界面活性剤（Ｄ３）及びカチオン性界面活性剤（Ｄ４）：０〜５％
保湿剤（グリセリンなど） ：０．１〜３％
泡安定剤（ヤシ油脂肪酸モノエタノールアミドなど）：０．５〜５％
キレート剤 ：適量
香料 ：適量
防腐剤 ：適量
水 ：１７〜９６．４％
【００４９】
以下に実施例および比較例により本発明を説明するが、本発明はこれに限定されるものではない。
【００５０】
実施例１〜１８および比較例１〜１０
表１および表２に記載した配合量で各成分を室温で配合し、洗浄剤組成物を作製した。
【００５１】
＜起泡性＞
ＣａＯ換算１５ｐｐｍの硬水を用いて洗浄剤組成物の０．１％（有効成分濃度）水溶液２００ｍＬを調製し、２５℃にてジューサーミキサー（東芝製ＭＸ−３９０ＧＸ）で３０秒間攪拌し、その時の泡の高さ（ｍｍ）で、起泡性を評価した。
（採点基準）
◎：１１０ｍｍ以上
○：９０ｍｍ以上１１０ｍｍ未満
△：７０ｍｍ以上９０ｍｍ未満
×：７０ｍｍ未満
【００５２】
＜泡質および使用感＞
男女各１０人のパネラーが、十分に４０℃のお湯で頭髪を濡らした後、実施例１〜１８、比較例１〜１０の各洗浄剤組成物５ｇを用いてシャンプーし、４０℃のお湯ですすぎ、下記処方で作成した標準コンディショナー５ｇを手で毛髪に馴染ませた後すすぎ、ドライヤーで乾燥させた。その際の洗浄時の泡質（泡の感触、泡のきめ細かさ）、洗浄時の使用感（毛髪への指通り性）、すすぎ時の使用感（毛髪への指通り性、手や頭皮に対するしっとり感）、コンディショナーのなじみ、乾燥後の仕上がり（コンディショニング効果）の項目を評価した。
パネラーが実際に使用した際の官能評価結果を点数で表し、その平均点で評価した。
（採点基準）
非常に良い：５点
良い ：４点
普通 ：３点
悪い ：２点
非常に悪い：１点
（評価基準）
◎：２０人の平均点が４．５以上
○：２０人の平均点が３．５以上４．５未満
△：２０人の平均点が２．５以上３．５未満
×：２０人の平均点が２．５未満
（標準コンディショナー処方）
ポリジメチルシロキサン                        ２．０部
セチルアルコール                              ２．５部
ステアリルアルコール                          ２．５部
塩化ベヘニルトリメチルアンモニウム            １．５部
グリセリン                              ４．０部
水                                          ８８．０部
【００５３】
＜生分解性＞
ＯＥＣＤ試験法３０１Ｃに準じて、２８日培養前後のＴＯＣを測定することで分解度を測定し、その時の分解度から生分解性を評価した。活性汚泥は（財）化学物質評価研究機構の購入汚泥を使用した。
（採点基準）
○：７０％以上
△：５０％以上７０％未満
×：５０％未満
【００５４】
表１および表２中の各成分の略号は以下の通りである。
（Ａ−１）：テトラデカン酸アミドプロピルスルホベタイン
（Ａ−２）：オレイン酸アミドプロピルスルホベタイン
（Ａ−３）：オクタデカン酸アミドプロピルスルホベタイン
（Ａ−４）：テトラデカン酸アミドプロピルカルボキシベタイン
（Ａ−５）：ヘキサデカン酸アミドプロピルカルボキシベタイン
（Ａ−６）：オレイン酸アミドプロピルカルボキシベタイン
（Ａ’−１）：イソステアリン酸アミドプロピルスルホベタイン
（Ａ’−２）：ドデカン酸アミドプロピルカルボキシベタイン
（Ａ’−３）：イソステアリン酸アミドプロピルカルボキシベタイン
（Ｂ−１）：ドデカノール（ＥＯ）３モルエーテル酢酸ナトリウム
（Ｂ−２）：ドデカノール（ＥＯ）５モルエーテル酢酸ナトリウム
（Ｂ−３）：テトラデカノール（ＥＯ）５モルエーテル酢酸ナトリウム
（Ｂ−４）：１，２−ドデカンジオールエーテル酢酸ナトリウム  
（Ｂ−５）：１，２−ドデカンジオール（ＥＯ）２モルエーテル酢酸ナトリウム
（Ｂ’−１）：１，２−オクタンジオール（ＥＯ）２モルエーテル酢酸ナトリウム
（Ｂ’−２）：ドデカノール（ＥＯ）１０モルエーテル酢酸ナトリウム
（Ｂ’−３）：１，２−ドデカンジオール（ＥＯ）１０モルエーテル酢酸ナトリウム
（Ｂ’−４）：ドデカノール（ＥＯ）１０モルエーテル酢酸
（Ｂ’−５）：１，２−ドデカンジオール（ＥＯ）１モル硫酸ナトリウム
（Ｂ’−６）：ドデカノール（ＥＯ）２モル硫酸ナトリウム
（Ｃ−１）：１，２−ドデカンジオール
（Ｃ−２）：１，２−ドデカンジオール（ＥＯ）２モル付加物
【００５５】
【表１】
2013108064.tif 000006
【００５６】
【表２】
2013108064.tif 000007
【００５７】
表１及び表２で明らかなように本発明の洗浄剤組成物（実施例１〜１８）は、起泡性（泡量）、泡質（泡のきめ細かさ）、洗浄時及びすすぎ時の使用感（毛髪への指通り、皮膚に対するしっとり感）、生分解性に優れ、シャンプー後にコンディショナー及びリンス等を使用したときに、コンディショナー及びリンスのなじみが良く、有効にコンディショニング効果が得られる。これに対し、比較例１〜１０は性能項目を十分満足するものではない。
【産業上の利用可能性】
【００５８】
本発明の洗浄剤組成物は、起泡性（泡量）、泡質（泡のきめ細かさ）、洗浄時及びすすぎ時の使用感（毛髪への指通り、皮膚に対するしっとり感）、生分解性のすべてを兼ね備え、コンディショナー及びリンス等のなじみ、コンディショニング効果を向上させる洗浄剤組成物であり、頭髪用洗浄剤として好適である。また、家庭用洗浄剤（衣料用洗剤、食器用洗剤など）および工業用洗浄剤（金属、精密部品等の洗浄剤など）として使用できる可能性がある。